(57)【要約】  少なくとも一方の側で露出されてウィンドウまたは半ウィンドウを形成する透明プラスチック材料から形成された少なくとも１つの部域と、第１の色シフトインク組成物および第２の色シフトインク組成物とを含み、第１の色シフトインク組成物および第２の色シフトインク組成物は、異なる着色顔料および干渉顔料を含むものの、共に第１の視角で、干渉顔料が見える場合に実質的に同じ色を呈し、他の角度では着色顔料を見る場合に異なる色を呈する、セキュリティドキュメントまたはデバイスが提供される。【選択図】図１
2014524847.tif 000002
【特許請求の範囲】
【請求項１】
少なくとも一方の側で露出されてウィンドウまたは半ウィンドウを形成する透明プラスチック材料から形成された少なくとも１つの部域と、前記ウィンドウまたは半ウィンドウの少なくとも一部分に塗布された第１の干渉顔料および第１の着色顔料を含む第１の色シフトインク組成物および第２の干渉顔料および第２の着色顔料を含む第２の色シフトインク組成物とを含むセキュリティドキュメントまたはデバイスであって、前記第１の色シフトインク組成物が第１の視角で前記第１の干渉顔料に由来する第１の色を提供し、前記第２の色シフトインク組成物が前記第１の視角で前記第２の干渉顔料に由来する実質的に等しい前記第１の色を提供し、前記第１の視角とは異なる第２の視角で、前記第１の色シフトインク組成物が前記第１の着色顔料に由来する第２の色を提供し、前記第２の色シフトインク組成物が前記第１および第２の色とは異なる前記第２の着色顔料に由来する第３の色を提供する、セキュリティドキュメントまたはデバイス。
【請求項２】
透明プラスチック基材と、前記基材の一領域を未被覆状態に残して前記ウィンドウまたは半ウィンドウを形成する形で前記基材の少なくとも一方の側の表面に塗布される少なくとも１つの不透明化コーティングとを含む、請求項１に記載のセキュリティドキュメントまたはデバイス。
【請求項３】
第３の色シフトインク組成物を含み、前記第３の色シフトインク組成物が、前記第１および第２の色シフトインク組成物により提供される前記第１の色とは異なる第４の色を前記第１の視角で提供する干渉顔料と、前記第１または第２の色シフトインク組成物により提供される前記第２または第３の色を前記第２の視角で提供する着色顔料とを有する、請求項１または２に記載のセキュリティドキュメントまたはデバイス。
【請求項４】
前記第１、第２または第３の色シフトインク組成物の少なくとも１つが反ストーク材料を含み、前記反ストーク材料が、前記色シフトインク組成物上および／またはセキュリティドキュメントまたはデバイス上での識別を可能にするために選択される、請求項１、２または３に記載のセキュリティドキュメントまたはデバイス。
【請求項５】
前記セキュリティドキュメントが、紙幣または硬貨などの通貨品目、クレジットカード、小切手、パスポート、身分証明書、証券または株券、運転免許証、権利証書、航空券または鉄道乗車券などの旅行書類、入場証または入場券、出生証明書、死亡証明書または婚姻証明書、および学業証明書のうちの１つである、請求項１〜４のいずれか一項に記載のセキュリティデバイスを含むセキュリティドキュメント。
【請求項６】
セキュリティドキュメントまたはデバイスの生産方法であって、
基材の相対する側に第１および第２の表面を有する、透明プラスチック材料のシート状基材を提供するステップと、
前記基材の一領域を未被覆状態に残してウィンドウを形成する形で、前記基材の前記第１の表面上に少なくとも１つの不透明化コーティングを塗布するステップと、
前記基材の前記ウィンドウ領域の少なくとも一部分内に第１の着色顔料と第１の干渉顔料とを含む第１の色シフトインク組成物を塗布するステップと、
前記基材の前記ウィンドウ領域の少なくとも一部分内に第２の着色顔料と第２の干渉顔料とを含む第２の色シフトインク組成物を塗布するステップと
を含み、
前記第１の色シフトインク組成物が第１の視角で前記第１の干渉顔料に由来する第１の色を提供し、前記第２の色シフトインク組成物が前記第１の視角で前記第２の干渉顔料に由来する実質的に等しい前記第１の色を提供し、前記第１の視角とは異なる第２の視角で、前記第１の色シフトインク組成物が前記第１の着色顔料に由来する第２の色を提供し、前記第２の色シフトインク組成物が前記第１および第２の色とは異なる前記第２の着色顔料に由来する第３の色を提供する、方法。
【請求項７】
前記第１および第２の色シフトインク組成物により提供される前記第１の色とは異なる第４の色を前記第１の視角で提供する第３の干渉顔料と、前記第１または第２の色シフトインク組成物によって提供される前記第２または第３の色を第２の視角で提供する着色顔料とを有する、第３の色シフトインク組成物を塗布するステップを含む、請求項６に記載の方法。
【請求項８】
前記第１、第２または第３の色シフトインク組成物の少なくとも１つに対して反ストーク材料を添加するステップを含み、前記反ストーク材料が、前記色シフトインク組成物上および／またはセキュリティドキュメントまたはデバイス上での識別を可能にするために選択される、請求項６または７に記載の方法。
【発明の詳細な説明】
【技術分野】
【０００１】
本発明は、セキュリティデバイスおよびセキュリティドキュメントまたは代用貨幣、例えば紙幣などに関し、特に容易に認識可能であるものの複製または偽造が困難であるセキュリティデバイスまたは光学的に変化する顕在性セキュリティデバイスを伴うドキュメントを提供することに関する。
【背景技術】
【０００２】
透明プラスチック材料の一部分から形成される透明部域または「ウィンドウ」を有するシート状基材を含むセキュリティドキュメントが、これまでに提案されてきた。セキュリティドキュメント内に形成されるウィンドウは、エンボス画像などのセキュリティデバイスまたは回折格子またはホログラムなどの光学的に変化するデバイスを組込むために特に好適である。
【０００３】
セキュリティデバイスには、セキュリティドキュメントの信憑性を証明することが求められる。デバイスはセキュリティドキュメントの偽造を防止することが求められ、顕在性セキュリティデバイスの場合にはドキュメント上で容易にかつ迅速に識別可能でなければならない。セキュリティドキュメントに対するさらなる要件は、生産する上で費用効果性の高いことそして紙幣が遭遇するような日常的使用に耐えるのに充分な耐久性を有することである。
【０００４】
国際公開第２００６／１３３５１２号パンフレットは、色シフトインクを有するセキュリティドキュメントまたはデバイスを開示している。視角に応じて第１の色と第２の全く異なる色の間での少なくとも１つの少なくとも１つの色シフトを提供するインクが提供されている。
【発明の概要】
【課題を解決するための手段】
【０００５】
本発明の一態様によると、少なくとも一方の側で露出されてウィンドウまたは半ウィンドウを形成する透明プラスチック材料から形成された少なくとも１つの部域と、
−  ウィンドウまたは半ウィンドウの少なくとも一部分に塗布された第１の干渉顔料および第１の着色顔料を含む第１の色シフトインク組成物および第２の干渉顔料および第２の着色顔料を含む第２の色シフトインク組成物とを含むセキュリティドキュメントまたはデバイスにおいて、第１の干渉顔料が見える場合に第１の色シフトインク組成物が第１の視角で第１の色を提供し、第２の干渉顔料が見える場合に第２の色シフトインク組成物が第１の視角で実質的に同じ第１の色を提供し、第１の視角とは異なる第２の視角で、第１の色シフトインク組成物が第１の着色顔料に由来する第２の色を提供し、第２の色シフトインク組成物が第１および第２の色とは異なる第２の着色顔料に由来する第３の色を提供するセキュリティドキュメントまたはデバイスが提供されている。
【０００６】
詳細には、１つの色が別の色と異なるなどとして本明細書中で言及されている「色」は、人間の視覚さらには電子視覚により感知できる色の色相、色度、彩度、輝度、明度、色調または色合いというさまざまな特性に関する。１つの色が別の色と実質的に類似している場合、見ている当事者または物体はその色をもう１つの色と同じかまたはそれに近いものとして見る。
【０００７】
有利には、本発明は、第１の視角では１つの図柄が見えるが第２の視角あるいは他の実質的に全ての角度で第２の図柄が見えるような形で色シフトインクの印刷を通して興味深い色シフト効果を提供することのできる顕在的機能を提供するセキュリティドキュメントまたはデバイスを提供している。詳細には、第１および第２の色シフトインク組成物の干渉顔料が見える１つの角度に対応する第１の視角において、第１および第２の色シフトインク組成物はメタマーである、すなわち実質的に同じ色であるが、他の角度ではインクが異なる色を提供するという点で幾何学的メタメリズムを示す色を提供する。
【０００８】
第１および第２の色シフトインク組成物は同様に、第２の視角でまたは他の実質的に全ての角度で、各々の色シフトインク組成物について異なる色が見えるような形で選択される。
【０００９】
さらなる一実施形態において、第３の色シフトインク組成物は、第１および第２の色シフトインク組成物により提供される第１の色とは異なる第４の色を第１の視角で提供する第３の干渉顔料と、第１または第２の色シフトインク組成物によって提供される第２または第３の色を第２の視角で提供する着色顔料とを有する。
【００１０】
好ましくは、色シフトインク組成物は、Ｋｕｎｗｅｉ  Ｐｅａｒｌ  Ｐｉｇｍｅｎｔ  Ｃｏ．Ｌｔｄ、により生産されているＫＷ  Ｐｅａｒｌ  Ｐｉｇｍｅｎｔなどの光学的に変化する真珠箔干渉顔料を大きい割合で、そして有機または無機であってよい着色顔料をわずかな割合で含む。干渉顔料および着色顔料の粒子を、透明な結合剤または樹脂と混合して、印刷プロセスにおいて基材に塗布するために好適である色シフトインク組成物を形成してもよい。
【００１１】
色シフトインク組成物は、好ましくは、約１０％〜約３０％の真珠光沢干渉顔料（例えばＫｕｎｗｅｉ  Ｐｅａｒｌ  Ｐｉｇｍｅｎｔ  Ｃｏ．Ｌｔｄ製の干渉顔料）、約０．５％〜約１０％の有機または無機着色顔料、例えばフタロシアニンブルーおよび約６０％〜９０％の透明結合剤または樹脂を含む調合物から形成される。好ましくは、真珠光沢干渉顔料は約１μｍ（ミクロン）〜約２００μｍ（ミクロン）の粒径、より好ましくは約５μｍ〜約６０μｍの粒径を有する。これは、大部分の角度で一般に着色顔料から引き出される透明な色を有しかつ一部の角度で着色顔料および干渉顔料から誘導される干渉色を有する色シフトインク組成物を形成する。
【００１２】
本明細書中で「着色顔料」という用語が使用される場合、これは、有機または無機着色顔料および混合物を意味し、本明細書中で「干渉顔料」という用語が使用される場合、これは干渉顔料全般を意味し、その一例として真珠光沢干渉顔料がある。
【００１３】
一実施形態において、セキュリティドキュメントまたはデバイスは、透明プラスチック基材と、基材の一領域を未被覆状態に残してウィンドウまたは半ウィンドウを形成するような形で基材の少なくとも一方の側の表面に塗布される少なくとも１つの不透明化コーティングとを含む。
【００１４】
ウィンドウは、全ウィンドウ領域内で基材の両方の側で少なくとも１つの不透明化コーティングによって被覆されていない全ウィンドウ領域であってよい。この場合、全ウィンドウ内で色シフトインク組成物により形成される画像は、半透明であってよく、セキュリティドキュメントまたはデバイスの両方の側から透過して見ることができる。
【００１５】
あるいは、色シフトインク組成物は、基材の片側で少なくとも１つの不透明化コーティングにより完全に被覆されているが基材の反対の側では不透明化コーティングにより被覆されていない半ウィンドウ領域内で、少なくとも部分的に塗布されてよい。半ウィンドウ領域内で色シフトインク組成物により形成される画像は、半透明で、セキュリティドキュメントまたはデバイスの両側から透過して見ることができてよい。
【００１６】
一実施形態において、色シフトインク組成物は、透明な基材の片側の表面に対し塗布され、基材のその側で不透明化コーティングによって少なくとも部分的に被覆され、基材の反対の側の一部域は、不透明化コーティングによって被覆されず、半ウィンドウを形成しており、この半ウィンドウを通して、未被覆側から色シフトインク組成物を見ることができる。
【００１７】
この実施形態の利点は、色シフトインク上に塗布された不透明化コーティングがより耐久性の高いセキュリティ機能を提供する上で一助となるという点にある。
【００１８】
特に好ましい実施形態において、セキュリティドキュメントは可撓性セキュリティドキュメントであり、セキュリティドキュメントを確認するための自己確認手段を含んでもよい。自己確認手段は、実質的にプレーンな部域（すなわち例えば白か黒などの一色しかない）を含み、こうして、セキュリティドキュメントが曲げられたり折畳まれたりした場合にウィンドウが実質的にプレーンな部域と見当合せされて、プレーンな有色背景に当てて色シフト効果を見ることができるようになっていてよい。ドキュメントには同様に、異なる場所に２つ以上の異なる色の実質的にプレーンな部域も含まれていてよく、こうして、ウィンドウが異なる色のプレーンな部域と見当合わせされた時点で異なる効果が見られることになる。例えば、プレーンな部域の１つは例えば白または黄などの明色であってよく、もう１つの実質的にプレーンな部域は、黒またはダークブルーなどの暗色であってよい。
【００１９】
本発明の別の態様によると、セキュリティドキュメントまたはデバイスの生産方法であって、
−  基材の相対する側に第１および第２の表面を有する透明プラスチック材料のシート状基材を提供するステップと、
−  基材の一領域を未被覆状態に残してウィンドウを形成する形で、基材の前記第１の表面上に少なくとも１つの不透明化コーティングを塗布するステップと、
−  基材のウィンドウ領域の少なくとも一部分内に第１の着色顔料と第１の干渉顔料とを含む第１の色シフトインク組成物を塗布するステップと、
−  基材のウィンドウ領域の少なくとも一部分内に第２の着色顔料と第２の干渉顔料とを含む第２の色シフトインク組成物を塗布するステップと
を含み、
第１の色シフトインク組成物が第１の視角で第１の干渉顔料が見える場合に第１の色を提供し、第２の色シフトインク組成物が第１の視角で第２の干渉顔料が見える場合に実質的に同じ第１の色を提供し、第１の視角とは異なる第２の視角で、第１の色シフトインク組成物が第１の着色顔料に由来する第２の色を提供し、第２の色シフトインク組成物が第１および第２の色とは異なる第２の着色顔料に由来する第３の色を提供する、方法が提供されている。
【００２０】
方法には同様に、基材の第１の表面上に形成されたウィンドウと見当合わせした状態にある基材の領域を未被覆状態に残すような形で基材の前記第２の表面上にインクの不透明化層を塗布して、色シフトインク組成物が内部に塗布されている全ウィンドウを形成するステップも含まれていてよい。
【００２１】
代替的な１つの方法には、ウィンドウ領域の少なくとも一部分内で前記第２の表面上に少なくとも１つの不透明化コーティングを塗布して、基材の一方の側の第１の表面上で不透明化コーティングにより被覆されておらず基材の反対の側の第２の表面上で不透明化コーティングにより被覆されている半ウィンドウを形成するステップが含まれていてよく、ここでは、色シフトインク組成物は、半ウィンドウ領域内で少なくとも部分的に塗布される。
【００２２】
色シフトインク組成物は、少なくとも１つの不透明化コーティングを塗布して全ウィンドウまたは半ウィンドウを形成する１つまたは複数のステップの前後のいずれにおいて塗布されてもよい。しかしながら、半ウィンドウを形成する場合には、色シフトインク組成物は、第２の表面上で色シフトインク組成物を被覆するために第２の表面に不透明化コーティングが塗布される前に基材の第２の表面に塗布される。
【００２３】
色シフトインク組成物は、ウィンドウまたは半ウィンドウ領域および１つまたは複数の不透明化コーティングにより形成された周囲のまたは隣接する不透明部域と重なり合うように基材の表面の少なくとも１つに対して塗布されてよい。
【００２４】
上述の方法は、シート状基材が可撓性プラスチック材料から形成される場合に自己確認型セキュリティドキュメントまたはデバイスを生産するために使用されてもよい。この場合、方法にはさらに、ウィンドウを実質的にプレーンな不透明インクまたはコーティングと見当合せした状態にするように可撓性シートが曲げられるか、折畳まれるかまたはねじられた時点で少なくとも１つの色シフトインク組成物の色シフト効果を反射的に観察することができるようにする自己確認手段を形成するため、ウィンドウ領域から横方向に離隔された場所で基材の少なくとも１つの表面に対して少なくとも１つの実質的にプレーンな不透明インクまたはコーティングを塗布するステップを含んでもよい。
【００２５】
セキュリティドキュメントまたはデバイスおよびセキュリティドキュメントまたはデバイスの生産方法は同様に、１つ以上の色シフトインク組成物に対して反ストークス材料を添加するステップを含むことができ、ここで、反ストークス材料は、色シフトインク組成物および／またはセキュリティドキュメントまたはデバイス上での識別を可能にするように選択される。
【００２６】
本発明をより容易に理解できるようにするため、ここで単なる一例として、そのさまざまな実施形態について添付図面を参考にしながら記述する。
【図面の簡単な説明】
【００２７】
【図１】本発明の一実施形態に係るセキュリティドキュメントの一部分を通る断面図である。
【図２】本発明の別の実施形態に係るセキュリティドキュメントの一部分を通る断面図である。
【図３】視角に応じた色を示す概略図である。
【図４ａ】第１の角度から見たセキュリティドキュメントの図である。
【図４ｂ】第２の角度から見た図４ａ中のセキュリティドキュメントの図である。
【図５ａ】色シフトインク組成物の配置を示すためのセキュリティドキュメントの概略図である。
【図５ｂ】第１の角度から見た図５ａ中のセキュリティドキュメントの図である。
【図５ｃ】第２の角度から見た図５ａ中のセキュリティドキュメントの図である。
【発明を実施するための形態】
【００２８】
ここで図１を参照すると、第１の下部表面１１と第２の上部表面１２とを有する透明プラスチック材料のシート状基材１０と、基材１０の第１の下部表面１１上に塗布された不透明化層１３と、基材１０の第２の上部表面１２上に塗布された不透明化層１５と、基材１０の下部表面１１上の第１の色シフトインク２０および第２の色シフトインク２４を含むセキュリティデバイス１９とを含むセキュリティドキュメント１が、「半ウィンドウ」１８と組合せた形で示されている。
【００２９】
図１に示されている通り、不透明化層１５は、基材１０の上部表面１２全体にわたって塗布されず、こうして、不透明化インクにより被覆されていない第２の上部表面１２の一部域を残して、実質的に基材１０の第１の下部表面１１に対し塗布されるセキュリティデバイス２０の領域内で基材の一方の側に「半ウィンドウ」１８を形成する。
【００３０】
透明プラスチック材料の基材１０は好ましくは、少なくとも１つの２軸配向ポリマーフィルムで構成されてもよい透明なポリマー材料で形成される。基材はポリマー材料の単層フィルムを含んでもよい。あるいは、基材は、その内容が参照により本明細書に援用されているオーストラリア特許出願公開第８７６６５／８２号明細書中に記載のタイプの２層以上の透明な２軸配向ポリマーフィルムの積層品を含んでもよい。
【００３１】
不透明化層１３および１５は、紙幣または他のセキュリティドキュメントの印刷において使用可能であるさまざまな不透明化インクのいずれか１つ以上を含んでもよい。例えば、不透明化インク層は、オーストラリア特許出願公開第８７６６５／８２号明細書中に記載の熱活性化される架橋性ポリマー材料の結合剤または担体の内部に分散した二酸化チタンなどの顔料を含む着色コーティングを含み得る。あるいは、不透明化層は、紙幣などのセキュリティドキュメントの構造内に使用される紙または他の不透明または部分的に不透明な材料を含んでもよい。
【００３２】
好ましくは、色シフトインク組成物は、Ｋｕｎｗｅｉ  Ｐｅａｒｌ  Ｐｉｇｍｅｎｔ  Ｃｏ．Ｌｔｄ、により生産されているＫＷ  Ｐｅａｒｌ  Ｐｉｇｍｅｎｔなど光学的に変化する真珠箔干渉顔料を大きい割合で、そして着色顔料をわずかな割合で含む。干渉顔料および着色顔料の粒子は、透明な結合剤または樹脂と混合されて、印刷プロセスにおいて基材に塗布するために好適である色シフトインク組成物を形成する。
【００３３】
色シフトインクは、好ましくは、約１０％〜約３０％の真珠光沢干渉顔料（例えばＫｕｎｗｅｉ  Ｐｅａｒｌ  Ｐｉｇｍｅｎｔ  Ｃｏ．Ｌｔｄ製の干渉顔料）、約０．５％〜約１０％、好ましくは有機着色顔料であるが無機であってもよい着色顔料、例えばフタロシアニンブルーおよび約６０％〜９０％の透明結合剤または樹脂を含む調合物から形成される。好ましくは、真珠光沢干渉顔料は約５μｍ（ミクロン）〜約２００μｍ（ミクロン）の粒径を有する。
【００３４】
さらに、色シフトインク組成物は同様に、好ましくは、反ストークス顔料またはリン光体としても公知であるアップコンバータ材料をも含む。アップコンバータまたは反ストークス材料は、２つ以上の光子を吸収した時点、したがって「励起」状態に入った時点で、吸収された光子よりも大きいエネルギーの光子を発出する。したがって例えば、反ストークス材料は、赤外線範囲の光を吸収し、可視光波長範囲内で発光し得る。反ストークス材料は、セキュリティドキュメントの犯罪科学的検査の時点で特定の色シフトインク組成物を識別可能にするように選択され得る。すなわち、特定のインクで印刷された特定の証券またはセキュリティドキュメントによる印刷の確実な識別を可能にする特定の反ストークス材料が、特定のインクまたはセキュリティドキュメントについて選択される。このようにして、反ストークス材料を含むセキュリティドキュメント上に色シフトインク組成物を印刷することによって、はるかに改善されたセキュリティ機能が得られる。色シフトインク組成物は、きわめて有効な視覚的セキュリティ機能を構築するために組成物のそれぞれの干渉顔料が発出する整合色を有する一方で、印刷された色シフトインク組成物が一定の波長の電磁放射線の下で照射された場合にのみ検出可能である反ストークス材料も有するように選択される。反ストークス検出デバイスは、使用される反ストークス材料の量およびタイプを区別することができ、したがって、発出された固有の署名を決定することによって反ストークス材料を確認することができる。
【００３５】
半ウィンドウ１８の領域内の色シフトインク組成物２０および２４は、基材の上部側から反射で見た場合に色シフト効果を示す。両方の色シフトインク組成物とも、異なる干渉顔料および着色顔料を有するにも関わらず、１つまたは複数の同じ第１の視角で、干渉顔料に関連する色でありかつ真珠箔性のものである実質的に類似する第１の色を示す。色シフトインク組成物２０および２４中の２つの異なる干渉顔料が特定の視角で実質的に類似の色を示すものの別の角度では異なる色を示すという事実は、幾何学的メタメリズムとして公知の現象である。すなわち、この場合２つのインクまたは特定の色を示す他の材料は、１つの角度から見たときに色整合を有するものの、次に異なる角度で見たとき整合しない。
【００３６】
ドキュメントを傾斜または回転させて視角を変化させた場合、第１の色シフトインク組成物２０は、第１の色とは異なる第２の色を示し、第２の色シフトインク組成物２４は、（第１および第２の色とは異なる）第３の色を示す。半ウィンドウ部域内の色シフトインク２０および２４を透過で見た場合、変色効果は全く見られないが、色シフトインク２０、２４が形成する画像は、周囲の部域に対して異なる色合いの色として認識可能であり、色は各々の色シフトインク内の着色顔料の色合い（着色顔料の色は不透明化層１３、１５により修正される）である。
【００３７】
図１に示されているように、色シフトインク２０、２４は部分的に半ウィンドウ１８を取り囲む部域２２内に延在する。画像のこれらの部分２２は、不透明化層１３、１５の効果に起因して、反射で見られるか透過で見られるかに関わらず、いかなる色シフト効果も示さず、ここでもまた、見える色は各色シフトインク内の着色顔料の色合いである。
【００３８】
各色シフトインク２０、２４は、印刷作業において印刷される。図１に示された実施形態においては、色シフトインク２０が最初に印刷され、第２に色シフトインク２４が印刷され、その後に不透明化層１３により両方のインク上に印刷されるまたはインクが被覆される。一実施形態においては、色シフトインク２０および２４が重複部分２６を確実に有するようにすることが好ましい。これは、半ウィンドウ１８内の図柄の中に組込むことのできるさらなる代替的な色または色合いも同様に提供しながら見当合せの誤差を削減する一助となる。さらなる代替的な色は、各色シフトインク２０、２４内に存在する着色顔料の組合せであり、着色顔料の組合せに起因してより暗く見える可能性がある。重複部分２６を半ウィンドウ１８を通して第１の視角から見た場合、干渉顔料により誘発された第１の色は、修正無く見える。
【００３９】
図２は、第１の下部表面３１と第２の上部表面３２とを有する透明プラスチック材料のシート状基材３０と、基材３０の第１の下部表面３１上に塗布された不透明化インク層３３と、基材３０の第２の上部表面３２上に塗布された不透明化インク層３５と、基材３０の下部表面３１上の色シフトインク３７および第２の色シフトインク３９を含むセキュリティデバイス３６とを含むセキュリティドキュメント３を、「ウィンドウ」３８と組合せた形で示している。
【００４０】
図２に示されている通り、インクの不透明化層３３および３５は、基材３０の表面３１および３２全体にわたって塗布されず、こうして、不透明化インクにより被覆されていない表面３１および３２の一部域を残して、基材３０上に「ウィンドウ」３８を形成する。
【００４１】
基材３０は好ましくは、図１中の基材１０と同じ材料の１つにより形成される。同様にして、不透明化インクは、上述の不透明化インクの１つから、あるいは紙または他の不透明なまたは部分的に不透明な材料により、形成されてよい。
【００４２】
透明なウィンドウ３８の領域内で、色シフトインク３７および色シフトインク３９は、色シフト効果を示す。一部の視角で、第１の色、すなわち真珠箔干渉顔料の色が、色シフトインク３７および色シフトインク３９の両方から見られ、他の視角では、全く異なる第２および第３の色、すなわち各色シフトインク内の着色顔料の色が見られる。ウィンドウ３８を、色シフトインク３７と色シフトインク３９が印刷されている側から見た場合、以上で言及した第１の視角に実質的に対応する一部の視角において、色シフトインク３７および色シフトインク３９のメタマー干渉顔料を見ることがなおも可能である。同様にして、他の視角では、それぞれ色シフトインク３７および色シフトインク３９の着色顔料から、第２および第３の色が見られる。
【００４３】
図２に示されているように、色シフトインク３７および色シフトインク３９は、透明ウィンドウ３８をとり囲む不透明部域３４内に部分的に延在している。色シフトインク３７および色シフトインク３９によって形成される画像のこれらの部分３４は、反射または透過で見た場合いかなる色シフト効果も示さないが、ウィンドウ３８内の着色顔料のそれぞれ色シフトインク３７および色シフトインク３９の第２および第３の色のわずかに異なる色合いのように見えるかもしれない。
【００４４】
各色シフトインク組成物中の着色顔料は干渉顔料の色に対して一定の効果を有するという点を指摘しておかなければならない。したがって、図１および図２に関連して論述した第１および第２の色シフトインク組成物の両方の中の干渉顔料から色整合を達成するためには、結果として得られる色が、干渉顔料が見える第１の視角で整合を達成するように、特定の着色顔料と共に特定の干渉顔料を選択しなければならない。例えば、第１の色シフトインク組成物は、緑色の干渉顔料および褐色の着色顔料から作られ、その結果、より黄色の色合いを提供する干渉顔料が得られる。第２の色シフトインク組成物は、金色の干渉顔料および干渉顔料をより緑色の強い金色に変える透明な緑色顔料から作られる。第１および第２の色シフトインク組成物中の着色顔料の割合は、第１の視角で特定の干渉顔料と組合わされた場合に実質的に同一の色を達成し、他の角度そして透過では異なる色を達成するように選択される。
【００４５】
干渉顔料の色に対する着色顔料の効果に起因して、干渉顔料が見える角度で類似の色を達成するために同じ干渉顔料を使用することはできないということも指摘しておかなければならない。すなわち、干渉顔料が見える場合に第１および第２の色シフトインク組成物が整合できるようにするためには、着色顔料の特定の色および濃度と共に特定の干渉顔料が選択されなければならない。
【００４６】
図３は、光源４４の存在下で、角度がθ1からθ2まで変動したときの、第１の視角４０と第２の視角４２の間の色シフトを示す概略図である。図２に関連して先に記述した通り、セキュリティドキュメント３が示されている。セキュリティデバイス３６を角度θ1から見た場合、観察者は、色シフトインク３７および色シフトインク３９の両方が示す第１の色、例えば真珠箔緑色を見る。角度θ2にわたりセキュリティドキュメントを回転させたときに、観察者は、第１の色シフトインク３７から第２の色、例えば緑色を、そして第２の色シフトインク３９から第３の色、例えば褐色を見る。第１の視角４０はこの例ではθ1として示されているが、第１の色シフトインク３７および第２の色シフトインク３９が第１の色を示す可能性のあるさらなる角度が存在してもよい。第１の色、すなわち干渉顔料に対応する色が見える角度は、範囲の狭いものであり、典型的には１°前後から５°までの範囲内にある。第２および第３の色が見える角度は、はるかに大きく、一般に３０°前後から４０°までの範囲内である。
【００４７】
図４ａおよび４ｂは、セキュリティドキュメント５０が複合セキュリティデバイスまたは画像５１をウィンドウまたは半ウィンドウ５３の部域内に含む本発明の別の実施形態を示す。複合デバイスまたは画像５１は、第１および第２の色シフトインクから形成された２つの部分５１ａおよび５１ｂから形成される。第１および第２の色シフトインクの干渉顔料が実質的に同一の第１の色を示す角度に対応する第１の角度からデバイスまたは画像５１を見た場合、デバイスの２つの部分５１ａおよび５１ｂは、図４ｂに示されている通り、実質的に同じ色として現われる。しかしながら、図３を参照して記述された方法でセキュリティドキュメントを回転させた場合、デバイスまたは画像５１は、図４ａに示されている通り、第１および第２の色シフトインクの着色顔料に対応する第２および第３の色を示す。
【００４８】
図５ａ、５ｂおよび５ｃは、異なる色シフトインク組成物で印刷された部分領域５５ａ、５５ｂおよび５５ｃを含むセキュリティデバイス５５を伴う別のセキュリティドキュメント５０を示す。この実施例において、部分領域５５ａおよび５５ｂは、図５ｂに示されている通り、１つまたは複数の第１の視角で実質的に類似の第１の色を示す干渉顔料を有する第１の色シフトインク組成物および第２の色シフトインク組成物でそれぞれ印刷される。他の視角では、部分領域５５ａおよび５５ｂは、図５ｃに示されている通り、第１および第２の色シフトインク組成物の着色顔料によってひき起こされる第２および第３の色を示す。この実施例では、部分領域５５ｃは、上述の通り着色顔料と干渉顔料を含む第３の色シフトインク組成物を含む。部分領域５５ｃは、１つまたは複数の第１の視角で見た場合、干渉顔料によりひき起こされ第１の色とは異なるものである図５ｂに示されている第４の色を示す。このようにして、他の色シフトインク組成物を用いて第１の視角で見ることのできる１つの画像が構築される可能性がある。部分領域５５ｃ内では、第２の視角で、図５ｃに示されている通り、第３の色シフトインクの着色顔料によって呈示され、第２の色シフトインクの着色顔料が示す色と同じかまたは実質的に同じ色である第３の色が見える。
【００４９】
このようにして、干渉顔料の効果に起因して１つまたは複数の第１の角度で、あるいは着色顔料に起因して１つまたは複数の第２の角度で色が整合する色シフトインク組成物の選択的印刷により、色シフトインクで構築される画像は、特定の視角に応じて変化し得る。この効果は、複製が非常に困難であると同時に観察者に対し視覚的に心地良い効果を提供するため、有利である。
【００５０】
同じ出願人による先行技術の特許出願、国際公開第２００６／１３３５１２号パンフレットの参照が、特に指示される。国際公開第２００６／１３３５１２号パンフレットは、１つまたは複数の角度で実質的に同じ色を示し、１つまたは複数の別の角度で異なる色を示す色シフトインクについて記載している。しかしながら、国際公開第２００６／１３３５１２号パンフレットは、着色顔料の整合を教示しているものの、干渉顔料の整合を開示または示唆できていない。整合する干渉顔料を有する色シフトインクを再生するのは困難であることを理由として、干渉顔料を整合させることでより高いセキュリティレベルが提供される。着色顔料は、比較的生産が容易であることから、必ずしも強力なセキュリティレベルを提供しない。着色顔料に対して干渉顔料を添加することによって、国際公開第２００６／１３３５１２号パンフレット中に記載の通り、色シフト効果が生成される。しかしながら、異なる着色顔料および干渉顔料を使用するものの干渉顔料に由来する類似の色を生成する２つの色シフトインクの生産は、適切な顔料の選定に起因して、偽造者にとってきわめて困難である。
【００５１】
本明細書中に記載のセキュリティデバイスまたはドキュメントは、セキュリティデバイスまたはドキュメント上に第１および第２の色シフトインク組成物を印刷でき、特定的干渉フィルター、回折格子または他の層状色シフト効果の構築などの複雑なまたは費用のかかるプロセスに対する必要性が無くなることを理由として、他の色整合セキュリティ要素に比べて明白な利点を有する。
【００５２】
本発明に係る色シフトインク組成物においては、適切な干渉顔料および着色顔料の選択は、選択と試験に基づいて行なわれる。すなわち、潜在的に好適な干渉顔料および着色顔料を選択し、組合せ、印刷して、干渉顔料の色と着色顔料の色の整合が確立される。
【００５３】
セキュリティドキュメント５０は同様に、セキュリティドキュメントを確認するため少なくとも１つの実質的にプレーンな部域５４の形で、自己確認手段を含んでもよい。ドキュメントは、デバイス５１が部域５４と見当合わせした状態になるように曲げられるかまたは折畳まれることによって確認されてよい。この位置で、デバイス５１は第１の全く異なる色であるように見える。
【００５４】
本発明の範囲および精神から逸脱することなく、上述のセキュリティドキュメントおよび方法に対しさまざまな修正を加えてよい。例えば、セキュリティドキュメントまたはデバイスが全ウィンドウおよび半ウィンドウの両方、ならびに周囲のまたは隣接する不透明部域を含み、色シフトインクがウィンドウ、半ウィンドウおよび不透明部域と重なり合い、こうして、異なる部域内で異なる色シフト効果を見ることができるようにすることが可能である。同様に、一部の実施形態では、主として紙または繊維基材から形成されたセキュリティドキュメント内にウィンドウまたは半ウィンドウを設け、ウィンドウまたは半ウィンドウ部域を紙または繊維基材内の開口部に挿入される透明プラスチック材料で構築することも可能である。
【００５５】
さらなる修正（図示せず）においては、ベタ部域ではなくむしろ一連の点で２つ以上の色シフトインクで複合画像を印刷してもよい。こうして、異なる色シフト効果を示す複合画像の複数の部分を、画像の一部の部分ではより合わせ、画像の他の部分では別個にすることが可能になる。
【００５６】
明細書では特に２つ（第１および第２）の色シフトインク組成物に言及されているが、さらなる色シフトインク組成物が存在すること、およびセキュリティドキュメントまたはデバイス中に存在する他の色シフトインク組成物が、第１および第２の色の整合色に加えてそれらの特定の干渉顔料についての共通の整合色を有し得ること、あるいは図５に関連して記述されている第３の色シフトインク組成物またはその特定の干渉顔料についての共通の整合色を有するさらなる色シフトインク組成物が存在することも多分に可能である、ということも認識すべきである。すなわち、本発明は、その干渉顔料との関係において幾何学的メタメリズムを有する２つまたは３つの色シフトインク組成物にのみ限定されるものではない。
【符号の説明】
【００５７】
１  セキュリティドキュメント
１０  基材
１１  第１の下部表面
１２  第２の上部表面
１３  不透明化層
１５  不透明化層
１８  半ウィンドウ
１９  セキュリティデバイス
２０  第１の色シフトインク
２４  第２の色シフトインク
３  セキュリティドキュメント
３０  基材
３１  第１の下部表面
３２  第２の上部表面
３３  不透明化インク層
３５  不透明化インク層
３６  セキュリティデバイス
３７  色シフトインク
３８  ウィンドウ
３９  色シフトインク
４０  第１の視角
４２  第２の視角
４４  光源
５０  セキュリティドキュメント
５１  複合セキュリティデバイスまたは画像
５３  ウィンドウまたは半ウィンドウ
５５  セキュリティデバイス
【先行技術文献】
【特許文献】
【００５８】
【特許文献１】国際公開第２００６／１３３５１２号パンフレット
【図１】
2014524847.tif 000003
【図２】
2014524847.tif 000004
【図３】
2014524847.tif 000005
【図４Ａ】
2014524847.tif 000006
【図４Ｂ】
2014524847.tif 000007
【図５Ａ】
2014524847.tif 000008
【図５Ｂ】
2014524847.tif 000009
【図５Ｃ】
2014524847.tif 000010
【国際調査報告】
2014524847.tif 000011
2014524847.tif 000012
2014524847.tif 000013